(57)【要約】      （修正有）【課題】自動車において、日中は日除けとなり、必要時に電光式に文字が表示され、相手にお礼の意思を伝えることができることを特徴とした自動車用電光式お礼表示機能付き日除けである。【解決手段】長方体型をした日除け本体１の前面は装脱着可能な蓋状になっているお礼表示文字板２で、上面に自動車に取り付けるための取付用部材３を有し、日中、日除けとして使用される時は側面にある手動電源入切スイッチ４にて電源を遮断し、自動車用電光式お礼表示機能付き日除けの機能を止めることにより日除けとして使用する。【選択図】図１
2016141393.tif 000002
【特許請求の範囲】
【請求項１】
自動車において、日中は日除けとなり、夜間は必要時に電光式に文字が表示され、相手にお礼の意思を伝えることが出来ることを特徴とした自動車用電光式お礼表示機能付き日除けである。
【請求項２】
文字を表示するために内部に装備されたＬＥＤへの電源の入切は落下式自動電源入切スイッチを使用していることを特徴とする自動車用電光式お礼表示機能付き日除けである。
【請求項３】
日中、日除けとして使用する時は内部に装備されたＬＥＤの電源を遮断するための手動のスイッチを装備していることを特徴とする自動車用電光式お礼表示機能付き日除けである。
【請求項４】
天井面から引き下げると同時に落下式自動電源入切スイッチが入り、お礼の文字が表示され、使用後は天井面に押し上げ、収納と同時に落下式自動電源入切スイッチにて遮断されることを特徴とした自動車用電光式お礼表示機能付き日除けである。
【請求項５】
文字表示板の文字は電源が遮断されている時は着色外面保護アクリル樹脂板により、表示されないようになっている。
【請求項６】
本体下部に、電源の入切確認用に電球を取付けた事を特徴とした自動車用電光式お礼表示機能付き日除けである。
【請求項７】
日除け機能を使用せず電光式お礼表示機能だけを利用し、自動車の車種により取り付け可能な後方の面に取り付けられることを特徴とする自動車用電光式お礼表示機能付き日除けである。
【請求項８】
日除け機能を使用せず電光式お礼表示機能だけを自動車の後方面に取り付け利用する時のために、運転席前面上部に遠隔操作用のスイッチを取り付けた事を特徴とする自動車用電光式お礼表示機能付き日除けである。
【請求項９】
日除け機能を使用せず電光式お礼表示機能だけを自動車の後方面に取り付け利用する時のために、運転席前面上部に有線用手動式電源入切スイッチから有線にて作動させることを特徴とする自動車用電光式お礼表示機能付き日除けである。
【発明の詳細な説明】
【技術分野】
【０００１】  自動車において、日中は日除けとなり、夜間又は必要時に電光式に文字が表示され、相手にお礼の意思を視覚的に伝えることができる自動車用電光式お礼表示機能付き日除けに関すること。
【背景技術】
【０００２】    従来の日除けは、必要時に日除けのみに使用されていた。
【発明の概要】
【発明が解決しようとする課題】
【０００３】  現在の日除けは、必要時に日除けのみに使用されていた。又、自動車を運転中、道を譲って頂いた時に相手にお礼の意思を伝えたいとき、夕方から夜間は会釈又は手を上げたりの動作をしても暗くて見えないため、上手くお礼の意思を伝える手段がなかった。
【課題を解決するための手段】
【０００４】  本発明は現在日除けの取り付いている場所に取り付けるもので、必要時に電光式に文字が表示され、相手にお礼の意思を視覚的に伝えることができ、又、必要時には電光式お礼表示機能の電源を遮断し、日除けとして使用できるものである。
【先行技術文献】
【非特許文献】
【０００５】
【非特許文献１】  特許願「落下式自動電源入切スイッチ」，株式会社和興住建，平成２７年２月３日出願
【発明の効果】
【０００６】  本発明は、現在日除けの取り付いている場所に取り付けるもので、必要時において天井面に上げらている日除けをフロントガラス側に引き下げると同時に電光式お礼表示機能付き日除けに落下式自動電源入切スイッチが入り、お礼の文字が表示される。使用後は電光式お礼表示機能付き日除けを天井面に押し上げた時、落下式自動電源入切スイッチにより遮断される（例えば、非特許文献１参照）。交差点などで対向車の運転手さんがお先にどうぞという時、感謝の意思を視覚的に伝えることができる。日中、日除けとして使用される時は、お礼表示機能付き日除け本体側面にある手動の電源入切スイッチにて電源を遮断し、電光式お礼表示機能付き日除けの機能を止めることにより日除けとして使用する。又、日除け機能を使用せず電光式お礼表示機能だけを利用し、自動車の後方面に取り付けた場合はＴ字路で道を譲って頂いた時や合流する時、相手が速度を緩めてくれた時に、道を譲って下さった後方の運転手さんに感謝の意思を視覚的に伝えることができる。
【図面の簡単な説明】
【０００７】
【図１】自動車用電光式お礼表示機能付き日除けの斜視図である。
【図２】自動車用電光式お礼表示機能付き日除けの内部斜視図である。
【図３】お礼表示文字板の詳細図である。
【図４】自動車用電光式お礼表示機能付き日除けの内部立面図である。
【図５】自動車用電光式お礼表示機能付き日除けが使用されているときの状況図である。
【図６】日除けとして使用されているときの状況図である。
【図７】電光式お礼表示板が使用されているときの後方からの状況図である。
【図８】自動車用電光式お礼表示機能付き日除けが収納されているときと、遠隔操作用送信電源入切スイッチ、有線用電源入切スイッチの位置を示す運転席内部から前方を見た状況図である。
【図９】自動車用電光式お礼表示機能付き日除けが収納されているときの状況図である。
【発明を実施するための形態】
【０００８】  以下、本発明の実施の形態を図１〜図９に基づいて説明する。
【０００９】  図１においては、アクリル樹脂製の長方体型をした電光式お礼表示機能付き日除け本体１である。長方体型の前面は装脱着可能な蓋状になっているお礼表示文字板２で、上面に自動車に取り付けるための取付用部材３を有し、日中、日除けとして使用される時は側面にある手動電源入切スイッチ４にて電源を遮断し、自動車用電光式お礼表示機能付き日除けの機能を止めることにより日除けとして使用する。
図２においては、自動車用電光式お礼表示機能付き日除け本体１から装脱着可能な蓋状になっているお礼表示文字板２を外したところであり、単三形乾電池５を電源として取付け、発光体であるＬＥＤ６を的数均等にＬＥＤ取付基盤８に配置し、天井面から引き下げると同時に落下式自動電源入切スイッチ７が入り、お礼の文字が表示される。使用後は天井面に押し上げ、収納と同時に落下式自動電源入切りスイッチ７にて遮断される。ＬＥＤ取付基盤８を取り付けるために本体の両端に取り付けられているボルト９とナット１０である。
図３においては、内側の面は着色内部保護アクリル樹脂板２ｃと外側の面は着色外面保護アクリル樹脂板２ａにアクリル切り抜き文字板２ｂを挟み込んで形成された装脱着可能な蓋状になっているお礼表示文字板２である。このお礼表示文字板２は日中、日除けとして使用の時は手動電源入切スイッチ４にて電源を遮断し、尚、着色外面保護アクリル樹脂板２ａによって文字が表示されないようになっている。
図４においては、自動車用電光式お礼表示機能付き日除け本体下部に取り付けられ、電源の入切を容易に確認できるようにした、電源が入ると同時に点灯する電球１１である。
図５においては、夜間又は必要時、自動車用電光式お礼表示機能付き日除け本体１が表示されているところである。
図６においては、日除けとして使用されているところである。
図７においては、日除け機能を表示せず電光式お礼表示機能だけを利用し、自動車の後方面に電光式お礼表示板１４を表示しているところである。
図８においては、自動車用電光式お礼表示機能付き日除け本体１が車内で天井面に上げられて収納されている状態である。運転席前面上部には、日除け機能を使用せず電光式お礼表示機能だけを自動車の後方面に取り付け利用する電光式お礼表示板１４の遠隔操作用送信電源入切スイッチ１２又は有線用電源入切スイッチ１３があり、有線用電源入切スイッチ１３から取り出されているケーブル１５は電光式お礼表示板１４と接続される。これらを操作することによって道を譲って下さった後方の運転手さんにお礼の意思を視覚的に伝えることが可能になる。
図９においては、自動車用電光式お礼表示機能付き日除け本体１が使用後、たたまれて天井面に収納されているときの状況である。
【符号の説明】
【０００９】１    電光式お礼表示機能付き日除け本体
２    お礼表示文字板
２ａ  着色外面保護アクリル樹脂板
２ｂ  アクリル切り抜き文字板
２ｃ  着色内部保護アクリル樹脂板
３    取付用部材
４    手動電源入切スイッチ
５    単三形乾電池
６    ＬＥＤ
７    落下式自動電源入切スイッチ
８    ＬＥＤ取付基盤
９    ボルト
１０  ナット
１１  パイロットランプ
１２  遠隔操作用送信電源入切スイッチ
１３  有線用電源入切スイッチ
１４  電光式お礼表示板
１５  ケーブル
【図１】
2016141393.tif 000003
【図２】
2016141393.tif 000004
【図３】
2016141393.tif 000005
【図４】
2016141393.tif 000006
【図５】
2016141393.tif 000007
【図６】
2016141393.tif 000008
【図７】
2016141393.tif 000009
【図８】
2016141393.tif 000010
【図９】
2016141393.tif 000011
【手続補正書】
【提出日】平成27年4月6日(2015.4.6)
【手続補正２】
【補正対象書類名】特許請求の範囲
【補正対象項目名】全文
【補正方法】変更
【補正の内容】
【特許請求の範囲】
【請求項１】
自動車において、日中は日除けとなり、夜間は必要時に電光式に文字が表示され、相手にお礼の意思を伝えることが出来ることを特徴とした自動車用電光式お礼表示機能付き日除けである。
【請求項２】
文字を表示するために内部に装備されたＬＥＤへの電源の入切は落下式自動電源入切スイッチを使用していることを特徴とする自動車用電光式お礼表示機能付き日除けである。
【請求項３】
日中、日除けとして使用する時は内部に装備されたＬＥＤの電源を遮断するための手動のスイッチを装備していることを特徴とする自動車用電光式お礼表示機能付き日除けである。
【請求項４】
天井面から引き下げると同時に落下式自動電源入切スイッチが入り、お礼の文字が表示され、使用後は天井面に押し上げ、収納と同時に落下式自動電源入切スイッチにて遮断されることを特徴とした自動車用電光式お礼表示機能付き日除けである。
【請求項５】
文字表示板の文字は電源が遮断されている時は着色外面保護アクリル樹脂板により、表示されないようになっている。
【請求項６】
本体下部に、電源の入切確認用に電球を取付けた事を特徴とした自動車用電光式お礼表示機能付き日除けである。
【請求項７】
日除け機能を使用せず電光式お礼表示機能だけを利用し、自動車の車種により取り付け可能な後方の面に取り付けられることを特徴とする自動車用電光式お礼表示機能付き日除けである。
【請求項８】
日除け機能を使用せず電光式お礼表示機能だけを自動車の後方面に取り付け利用する時のために、運転席前面上部に遠隔操作用のスイッチを取り付けた事を特徴とする自動車用電光式お礼表示機能付き日除けである。
【請求項９】
日除け機能を使用せず電光式お礼表示機能だけを自動車の後方面に取り付け利用する時のために、運転席前面上部に有線用手動式電源入切スイッチから有線にて作動させることを特徴とする自動車用電光式お礼表示機能付き日除けである。
【請求項１０】
機能を起動させるための電源に単三形乾電池を内蔵した事を特徴とする自動車用電光式お礼表示機能付き日除けである。